(57)【要約】【課題】自動録画システムにおいて、ＴＶ番組を録画する際のユーザによる手間を軽減する。【解決手段】自動録画システムは、ハードディスクレコーダ（ＨＤＲ）と、このＨＤＲにＨＤＭＩケーブルを介して接続されたＴＶ受像機とを含む。ＨＤＲは、ＴＶ電源ボタン等を有するリモコン装置によって操作可能である。ＴＶ電源ボタンが操作されると（Ｓ２でＹＥＳ）、ＨＤＲは、ＴＶ受像機に電源制御要求コマンドを送信する（Ｓ３）。ＴＶ受像機は、電源制御要求コマンドを受信し（Ｓ４）、電源をオフすると共に、受信中の番組ＡのＴＶ番組情報をＨＤＲに送信する（Ｓ５）。ＨＤＲは、ＴＶ受像機からＴＶ番組情報を受信すると（Ｓ６）、このＴＶ番組情報の内容に基づいてＴＶ受像機が受信していた番組Ａを受信し、自動的に録画する（Ｓ７）。そして、ＨＤＲは、番組Ａを案内するためのＥＰＧ情報に含まれる番組Ａの放送終了時刻情報に基づき、番組Ａの録画を自動的に終了する（Ｓ９）。【選択図】図５
2011029724.tif 000002
【特許請求の範囲】
【請求項１】
テレビジョン（以下、ＴＶという）受像機と、このＴＶ受像機に接続された録画装置とを含む録画システムにおいて、
前記ＴＶ受像機と前記録画装置とは、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）ケーブルを介して接続され、
前記ＴＶ受像機は、
放送局から放送されるＴＶ番組を受信する第１ＴＶ番組受信手段と、
前記録画装置から送信される各種命令を受信する命令受信手段と、
前記録画装置に対して、前記第１ＴＶ番組受信手段を用いて受信中のＴＶ番組の情報（以下、ＴＶ番組情報という）を送信するＴＶ番組情報送信手段とを備え、
前記録画装置は、
放送局から放送されるＴＶ番組を受信する第２ＴＶ番組受信手段と、
前記第２ＴＶ番組受信手段によって受信されたＴＶ番組を録画可能な録画媒体と、
前記ＴＶ受像機に対して電源のオフを要求する命令（以下、電源オフ要求命令という）を送信するように指示するための電源制御ボタンを有し、前記録画装置に各種動作指示を行うための操作手段と、
前記ＴＶ受像機に対して、前記電源オフ要求命令を送信する電源オフ命令送信手段と、
前記ＴＶ受像機から送信された前記ＴＶ番組情報を受信するＴＶ番組情報受信手段とを備え、
ユーザによって前記電源制御ボタンが操作されると、前記録画装置は、前記電源オフ命令送信手段を用いて、前記電源オフ要求命令を前記ＴＶ受像機に送信し、
前記ＴＶ受像機は、前記命令受信手段を用いて前記電源オフ要求命令を受信すると、自装置の電源をオフすると共に、前記ＴＶ番組情報送信手段を用いて前記ＴＶ番組情報を前記録画装置に送信し、
前記録画装置は、前記ＴＶ番組情報受信手段を用いて前記ＴＶ番組情報を受信すると、このＴＶ番組情報の内容に基づき、前記ＴＶ受像機の電源オフ時に前記ＴＶ受像機が受信していたＴＶ番組を判別し、このＴＶ番組を前記第２ＴＶ番組受信手段を用いて受信し、受信したＴＶ番組を前記録画媒体に自動的に録画することを特徴とする自動録画システム。
【請求項２】
前記録画装置は、
ＴＶ番組の放送終了時刻情報を含み、ＴＶ番組を案内するための番組案内情報を取得するＴＶ番組案内情報取得手段をさらに備え、
前記ＴＶ受像機の電源オフ時に、該ＴＶ受像機が受信していたＴＶ番組を判別し、このＴＶ番組を前記第２ＴＶ番組受信手段を用いて受信して前記録画媒体に自動的に録画するときに、
前記ＴＶ番組案内情報取得手段を用いて、前記ＴＶ受像機から受信した前記ＴＶ番組情報に対応したＴＶ番組を案内するための前記番組案内情報を取得し、取得した該番組案内情報に含まれるＴＶ番組の放送終了時刻情報に基づき、前記録画媒体へのＴＶ番組の録画を自動的に終了することを特徴とする請求項１に記載の自動録画システム。
【請求項３】
前記ＴＶ受像機と前記録画装置とは、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）−ＣＥＣ（Ｃｏｎｓｕｍｅｒ  Ｅｌｅｃｔｒｏｎｉｃｓ  Ｃｏｎｔｒｏｌ）規格に従って通信を行うことを特徴とする請求項１又は２に記載の自動録画システム。
【発明の詳細な説明】
【技術分野】
【０００１】
本発明は、ＨＤＭＩ−ＣＥＣ（Ｈｉｇｈ  Ｄｅｆｉｎｉｔｉｏｎ  ＭｕｌｔｉｍｅｄｉａＩｎｔｅｒｆａｃｅ−Ｃｏｎｓｕｍｅｒ  Ｅｌｅｃｔｒｏｎｉｃｓ  Ｃｏｎｔｒｏｌ）規格に対応した自動録画システムに関する。
【背景技術】
【０００２】
従来から、例えばＴＶ番組を視聴中に、ユーザが急な用事等により視聴を中断しなければならない場合に、ユーザはＴＶ番組の視聴を中断すると共に、リモコンを用いてハードディスクレコーダ等を操作して録画設定を行い、視聴していたＴＶ番組を録画する。そして、用事等が終わったユーザは、録画したＴＶ番組を再生することにより、所望のＴＶ番組を逃さず視聴していることが多い。しかしながら、この録画方法では、ユーザが、ＴＶ番組の録画設定を行うために、番組表の中から録画対照となるテレビ番組をリモコンを用いて選択したり、録画対象となるＴＶ番組のチャンネル情報や終了時刻等の情報をリモコンを用いて入力する等の操作が必要になるため、手間が掛かるという問題がある。
【０００３】
また、特許文献１には、受信された録画候補情報を映像表示部にＯＳＤ表示させ、リモコン操作に基づいて、録画候補のＴＶ番組を録画するか否かを選択し、選択されたＴＶ番組を録画する録画システムが開示されている。しかしながら、この録画システムでも、ユーザがリモコンを用いて録画するＴＶ番組の選択操作を行う必要があるため、上記問題を解決できない。
【０００４】
また、特許文献２には、電子番組表を表示しているときに録画指示ボタンの操作による指示を受信すると、電子番組表内のカーソルが位置するＴＶ番組の外部録画機器への録画予約を設定するデジタル放送受信機が開示されている。しかしながら、この種の受像機では、ユーザが録画指示ボタンを操作する必要があるため、上記問題を解決できない。
【先行技術文献】
【特許文献】
【０００５】
【特許文献１】特開２００８−７２２２２号公報
【特許文献２】特開２００９−３８５７７号公報
【発明の概要】
【発明が解決しようとする課題】
【０００６】
本発明は、上述した問題点を解決するためになされたものであり、ＴＶ番組を録画する際のユーザによる手間を軽減させることが可能な自動録画システムを提供することを目的とする。
【課題を解決するための手段】
【０００７】
上記目的を達成するために請求項１の発明は、テレビジョン（以下、ＴＶという）受像機と、このＴＶ受像機に接続された録画装置とを含む録画システムにおいて、前記ＴＶ受像機と前記録画装置とは、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）ケーブルを介して接続され、前記ＴＶ受像機は、放送局から放送されるＴＶ番組を受信する第１ＴＶ番組受信手段と、前記録画装置から送信される各種命令を受信する命令受信手段と、前記録画装置に対して、前記第１ＴＶ番組受信手段を用いて受信中のＴＶ番組の情報（以下、ＴＶ番組情報という）を送信するＴＶ番組情報送信手段とを備え、前記録画装置は、放送局から放送されるＴＶ番組を受信する第２ＴＶ番組受信手段と、前記第２ＴＶ番組受信手段によって受信されたＴＶ番組を録画可能な録画媒体と、前記ＴＶ受像機に対して電源のオフを要求する命令（以下、電源オフ要求命令という）を送信するように指示するための電源制御ボタンを有し、前記録画装置に各種動作指示を行うための操作手段と、前記ＴＶ受像機に対して、前記電源オフ要求命令を送信する電源オフ命令送信手段と、前記ＴＶ受像機から送信された前記ＴＶ番組情報を受信するＴＶ番組情報受信手段とを備え、ユーザによって前記電源制御ボタンが操作されると、前記録画装置は、前記電源オフ命令送信手段を用いて、前記電源オフ要求命令を前記ＴＶ受像機に送信し、前記ＴＶ受像機は、前記命令受信手段を用いて前記電源オフ要求命令を受信すると、自装置の電源をオフすると共に、前記ＴＶ番組情報送信手段を用いて前記ＴＶ番組情報を前記録画装置に送信し、前記録画装置は、前記ＴＶ番組情報受信手段を用いて前記ＴＶ番組情報を受信すると、このＴＶ番組情報の内容に基づき、前記ＴＶ受像機の電源オフ時に前記ＴＶ受像機が受信していたＴＶ番組を判別し、このＴＶ番組を前記第２ＴＶ番組受信手段を用いて受信し、受信したＴＶ番組を前記録画媒体に自動的に録画するものである。
【０００８】
請求項２に記載の発明は、請求項１に記載の自動録画システムにおいて、前記録画装置は、ＴＶ番組の放送終了時刻情報を含み、ＴＶ番組を案内するための番組案内情報を取得するＴＶ番組案内情報取得手段をさらに備え、前記ＴＶ受像機の電源オフ時に、該ＴＶ受像機が受信していたＴＶ番組を判別し、このＴＶ番組を前記第２ＴＶ番組受信手段を用いて受信して前記録画媒体に自動的に録画するときに、前記ＴＶ番組案内情報取得手段を用いて、前記ＴＶ受像機から受信した前記ＴＶ番組情報に対応したＴＶ番組を案内するための前記番組案内情報を取得し、取得した該番組案内情報に含まれるＴＶ番組の放送終了時刻情報に基づき、前記録画媒体へのＴＶ番組の録画を自動的に終了するものである。
【０００９】
請求項３に記載の発明は、請求項１又は２に記載の自動録画システムにおいて、前記ＴＶ受像機と前記録画装置とは、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）−ＣＥＣ（Ｃｏｎｓｕｍｅｒ  Ｅｌｅｃｔｒｏｎｉｃｓ  Ｃｏｎｔｒｏｌ）規格に従って通信を行うものである。
【発明の効果】
【００１０】
請求項１の発明によれば、ユーザによって電源制御ボタンが操作されると、録画装置は電源オフ要求命令をＴＶ受像機に送信し、ＴＶ受像機は自装置の電源をオフすると共に、ＴＶ番組情報を録画装置に送信する。そして、録画装置は、受信したＴＶ番組情報の内容に基づきＴＶ受像機の電源オフ時にＴＶ受像機が受信していたＴＶ番組を判別し、このＴＶ番組を録画媒体に自動的に録画する。そのため、従来と異なり、ユーザが電源制御ボタンを操作するだけで自動的にＴＶ番組が録画されるので、ＴＶ番組を録画する際のユーザによる手間を軽減させることができる。
【００１１】
請求項２の発明によれば、ＴＶ番組情報に対応したＴＶ番組を案内するための番組案内情報を取得し、取得した番組案内情報に含まれるＴＶ番組の放送終了時刻情報に基づき、録画媒体へのＴＶ番組の録画を自動的に終了する。従って、ユーザは、ＴＶ番組の録画を終了させるための操作を行う必要がないため、ＴＶ番組を録画する際のユーザによる手間をさらに軽減させることができる。
【図面の簡単な説明】
【００１２】
【図１】本発明の一実施形態に係るＨＤＲと、このＨＤＲに接続されたＴＶ受像機とを含む自動録画システムを示す斜視図。
【図２】上記ＨＤＲの概略構成を示すブロック図。
【図３】上記ＨＤＲを操作するリモコン装置の上面図。
【図４】上記ＴＶ受像機の概略構成を示すブロック図。
【図５】上記自動録画システムにおける自動録画処理の手順を示すフローチャート。
【発明を実施するための形態】
【００１３】
本発明の一実施形態に係る自動録画システムについて、図１乃至図５を参照して説明する。図１は、ハードディスクレコーダ（請求項における録画装置；以下、ＨＤＲという）２と、このＨＤＲ２にＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）ケーブル４を介して接続されたテレビジョン（以下、ＴＶという）受像機３とを含む自動録画システム１を示す。図２は、ＨＤＲ２の内部構成を示し、図３は、ＨＤＲ２に対して各種動作指示を行うためのリモコン装置（操作手段）５の上面を示し、図４は、ＴＶ受像機３の内部構成を示す。
【００１４】
ＨＤＲ２及びＴＶ受像機３は、ＨＤＭＩ規格におけるＣＥＣ（Ｃｏｎｓｕｍｅｒ  Ｅｌｅｃｔｒｏｎｉｃｓ  Ｃｏｎｔｒｏｌ；ＨＤＭＩで規格化されている装置間相互制御を行う機能）に対応した装置であり、それぞれＨＤＭＩ−ＣＥＣ規格に基くコマンドと、コマンドに対するレスポンスデータとを送受信可能である。ＨＤＲ２がＴＶ受像機３に対して各種コマンドを送信可能であるため、ユーザは、リモコン装置５を操作することにより、ＴＶ受像機３を操作可能である。
【００１５】
ＨＤＲ２は、図２に示されるように、放送局から放送されるＴＶ番組を受信するチューナ（第２ＴＶ番組受信手段）２１と、ユーザによって操作されるボタン等を有する操作部２２と、ＨＤＲ２の筐体外部に露出するように設けられたＨＤＭＩ端子２３と、リモコン装置５から送信される操作信号を受信するリモコン信号受信部２４とを備える。また、ＨＤＲ２は、各種情報が記憶されるメモリ２５と、ＴＶ番組を録画するハードディスク（請求項における録画媒体；以下、ＨＤＤという）２６と、アクセス部２７と、ＨＤＲ２内の各部の制御を行う制御用マイコン２８とをさらに備える。
【００１６】
メモリ２５は、制御用マイコン２８を動作させるためのプログラム２５ａと、予約録画を行うＴＶ番組の情報が格納された予約録画番組情報２５ｂとを記憶する。ＨＤＤ２６は、チューナ２１によって受信されたＴＶ番組を録画する。アクセス部２７は、ＨＤＤ２６に対してＴＶ番組の書き込みや読み出しを行う。
【００１７】
制御用マイコン２８は、再生処理部２８ａと、録画処理部２８ｂと、ＥＰＧ情報取得部（ＴＶ番組案内情報取得手段）２８ｃと、通信部（電源オフ命令送信手段、ＴＶ番組情報受信手段）２８ｄとを有し、ユーザによる操作部２２やリモコン装置５を用いた動作指示に応じてＨＤＲ２内の各部を制御する。
【００１８】
再生処理部２８ａは、チューナ２１によって受信されたＴＶ番組や、アクセス部２７を介してＨＤＤ２６から読み出したＴＶ番組の再生を行い、再生されたＴＶ番組の映像信号及び音声信号をＨＤＭＩケーブル４を介してＴＶ受像機３に出力する。
【００１９】
録画処理部２８ｂは、例えばユーザによって設定された予約録画番組情報２５ｂに基づいてチューナ２１から受信されたＴＶ番組をＨＤＤ２６に記録する予約録画処理や、後述するＴＶ受像機３から送信されたＴＶ番組情報の内容に基づくＴＶ番組をチューナ２１から受信して自動的にＨＤＤ２６に記録する自動録画処理を行う。
【００２０】
ＥＰＧ情報取得部２８ｃは、チューナ２１によって受信されたＴＶ放送信号に含まれるＥＰＧ情報を取得する。ＥＰＧ情報は、ＴＶ番組のチャンネル情報、タイトル情報、放送開始時刻情報、及び放送終了時刻情報等を含むものである。
【００２１】
通信部２８ｄは、ＴＶ受像機３に対してＨＤＭＩ−ＣＥＣ規格に基づくコマンドとレスポンスデータの送受信を行う。具体的には例えば、通信部２８ｄは、ＴＶ受像機３に対して、電源のオン／オフを要求する旨のコマンド（請求項における電源オフ要求命令；以下、電源制御要求コマンドという）の送信や、ＴＶ受像機３から送信されたＴＶ番組の情報（以下、ＴＶ番組情報という）の受信を行う。
【００２２】
リモコン装置５は、図３に示されるように、「０」乃至「９」の１０個の数字に対応する「０」〜「９」までの数字ボタン５１ａ〜５１ｊと、入力した文字や数字を消去するクリアボタン５２と、上下左右の各方向に操作可能な十字ボタン５３（５３ａ〜５３ｄの総称）と、各種入力を確定するための決定キー５４とを有する。また、リモコン装置５は、チャンネルの選局指示を行うためのチャンネルアップキー５５ａ及びチャンネルダウンキー５５ｂと、再生ボタン５６ａと、停止ボタン５６ｂと、ＴＶ電源ボタン（電源制御ボタン）５７と、ＨＤＲ電源ボタン５８と、ＨＤＲ２に対してユーザによる操作に応じた操作信号を送信するための信号送信部５０とをさらに有する。
【００２３】
再生ボタン５６ａは、ＨＤＤ２６に録画されたＴＶ番組の再生を指示するためのものである。停止ボタン５６ｂは、ＨＤＤ２６に録画されたＴＶ番組の再生の停止を指示するためのものである。
【００２４】
ＴＶ電源ボタン５７は、ＴＶ受像機３に対して電源のオン／オフを指示するためのボタンである。具体的には、ＴＶ電源ボタン５７の操作によって、通信部２８ｄがＴＶ受像機３に対して電源制御要求コマンドの送信を行う。ＨＤＲ電源ボタン５８は、ＨＤＲ２の電源のオン／オフを指示するためのボタンである。
【００２５】
ＴＶ受像機３は、図４に示されるように、ＴＶ番組の映像を表示するディスプレイ３１と、ＴＶ番組の音声を出力するスピーカ３２と、放送局から配信されるＴＶ番組を受信するチューナ（第１ＴＶ番組受信手段）３３と、ユーザによって操作されるボタン等を有する操作部３４とを備える。また、ＴＶ受像機３は、ＴＶ受像機３の筐体外部に露出するように設けられたＨＤＭＩ端子部３５と、各種情報を記憶するためのメモリ３６と、装置各部を制御するための制御用マイコン３７とをさらに備える。
【００２６】
メモリ３６は、制御用マイコン３７を動作させるためのプログラム３６ａを記憶する。
【００２７】
制御用マイコン３７は、映像出力部３７ａと、音声出力部３７ｂと、通信部（命令受信手段、ＴＶ番組情報送信手段）３７ｃとを有し、ユーザによる操作部３４の操作に応じた動作指示、及びＨＤＲ２から送信された各種命令コマンドに応じた動作指示に応じてＴＶ受像機３内の各部を制御する。具体的には例えば、制御用マイコン３７は、ＴＶ受像機３の電源がオンであるときに、ＨＤＲ２から電源要求コマンドを受信すると、ＴＶ受像機３の電源をオフにする。このとき、ユーザがＴＶ番組を視聴中である場合、つまり、チューナ３３を用いてＴＶ番組を受信中である場合、そのＴＶの情報（以下、ＴＶ番組情報という）をＨＤＲ２に対して送信する処理をさらに行う。一方、制御用マイコン３７は、ＴＶ受像機３の電源がオフ（スリープ状態）であるときに、ＨＤＲ２から電源要求コマンドを受信すると、ＴＶ受像機３の電源をオンにする。
【００２８】
映像出力部３７ａは、チューナ３３によって受信されたＴＶ番組の映像をディスプレイ３１に出力する。音声出力部３７ｂは、チューナ３３によって受信されたＴＶ番組の音声をスピーカ３２に出力する。
【００２９】
通信部３７ｃは、ＨＤＲ２から送信される電源制御要求コマンド等のＨＤＭＩ−ＣＥＣ規格に基づく命令コマンドを受信する。また、通信部３７ｃは、チューナ３３を用いて受信中のＴＶ番組のＴＶ番組情報をＨＤＲ２に対して送信する。ＴＶ番組情報は、例えば、ＴＶ番組のチャンネル情報や、ＴＶ番組のタイトル情報等から構成される。
【００３０】
次に、自動録画システム１におけるＨＤＲ２の自動録画処理について、図５に示すフローチャートを参照して説明する。ここでは、現在、ユーザがＴＶ受像機３を用いて「６チャンネル」のＴＶ番組Ａ（以下、番組Ａという）を視聴しているものとし、「６チャンネル」のＴＶ番組は、午後９時に放送終了するものとする。また、現在、ＴＶ受像機３の電源はオンであるものとする。
【００３１】
まず、ユーザによってリモコン装置５が操作され（Ｓ１）、その操作がＴＶ電源ボタン５７の操作であるとき（Ｓ２でＹＥＳ）、ＨＤＲ２の制御用マイコン２８は、通信部２８ｄを用いてＴＶ受像機３に対して電源制御要求コマンドを送信する（Ｓ３）。
【００３２】
そして、ＴＶ受像機３の制御用マイコン３７は、通信部３７ｃを用いて、ＨＤＲ２から送信された電源制御要求コマンドを受信し（Ｓ４）、現在ＴＶ受像機の電源がオンであるので、ＴＶ受像機の電源をオフすると共に、通信部３７ｃを用いて現在受信中の番組ＡのＴＶ番組情報をＨＤＲ２に送信する（Ｓ５）。ここでＨＤＲ２に送信されるＴＶ番組情報は、例えば、視聴中のチャンネルが「６チャンネル」である旨の情報とする。
【００３３】
ＨＤＲ２は、通信部２８ｄを用いて、ＴＶ受像機３から送信されたＴＶ番組情報を受信すると（Ｓ６）、このＴＶ番組情報の内容に基づいて、チューナ２１を用いて「６チャンネル」の番組Ａを受信し、受信した番組ＡをＨＤＤ２６に自動的に録画する録画処理を開始する（Ｓ７）。
【００３４】
そして、ＨＤＲ２の制御用マイコン２８は、ＥＰＧ情報取得部２８ｃを用いて、ＴＶ受像機３から受信したＴＶ番組情報に対応した番組Ａを案内するためのＥＰＧ情報を取得する（Ｓ８）。そして、取得したＥＰＧ情報に含まれる番組Ａの放送終了時刻情報に基づき、放送終了時刻になった時、すなわち、番組Ａの放送終了時刻である午後９時になった時に、ＨＤＤ２６への番組Ａの録画処理を自動的に終了する（Ｓ９）。
【００３５】
上述したように、本実施形態に係る自動録画システム１においては、ユーザによってリモコン装置５のＴＶ電源ボタン５７が操作されると、ＨＤＲ２の制御用マイコン２８は、通信部２８ｄを用いて電源制御要求コマンドをＴＶ受像機３に送信する。そして、電源がオンであるＴＶ受像機３は自装置の電源をオフすると共に、受信中のＴＶ番組のＴＶ番組情報をＨＤＲ２に送信し、ＨＤＲ２は、受信したＴＶ番組情報の内容に基づきＴＶ受像機３の電源オフ時にＴＶ受信機３が受信していたＴＶ番組を判別し、このＴＶ番組をＨＤＤ２６に自動的に録画する。そのため、従来と異なり、ユーザがリモコン装置５のＴＶ電源ボタン５７を操作するだけで自動的にＴＶ番組を録画することができるので、ＴＶ番組を録画する際のユーザによる手間を軽減させることができる。
【００３６】
また、ＨＤＲ２は、ＴＶ受像機２から受信したＴＶ番組情報に対応したＴＶ番組を案内するためのＥＰＧ情報を取得し、取得したＥＰＧ情報に含まれるＴＶ番組の放送終了時刻情報に基づき、ＨＤＤへのＴＶ番組の録画を自動的に終了する。従って、ユーザは、ＴＶ番組の録画を終了させるための操作を行う必要がないため、ＴＶ番組を録画する際のユーザによる手間をさらに軽減させることができる。
【００３７】
また、ＨＤＲ２とＴＶ受像機３とは、ＣＥＣ規格に従ってコマンドの送受信を行うので、独自プロトコルに対応した専用機器や専用ソフトウェア等の導入コストをかける必要がない。従って、ＨＤＲ２とＴＶ受像機３とを含む自動録画システム１の製造コストを抑制することができる。
【００３８】
なお、本発明は、上記実施形態の構成に限られず、発明の趣旨を変更しない範囲で種々の変形が可能である。例えば、上記の実施形態において、請求項における録画装置がＨＤＲである例を示したが、本発明をＴＶ番組を録画可能なＤＶＤレコーダ等に適用してもよい。
【符号の説明】
【００３９】
１  自動録画システム
２  ＨＤＲ（録画装置）
３  ＴＶ受像機
４  ＨＤＭＩケーブル
５  リモコン装置（操作手段）
２１  （ＨＤＲの）チューナ（第２ＴＶ番組受信手段）
２６  ＨＤＤ（録画媒体）
３３  （ＴＶ受像機の）チューナ（第１ＴＶ番組受信手段）
５７  ＴＶ電源ボタン（電源制御ボタン）
２８ｃ  ＥＰＧ情報取得部（ＴＶ番組案内情報取得手段）
２８ｄ  （ＨＤＲの）通信部（電源オフ命令送信手段、ＴＶ番組情報受信手段）
３７ｃ  （ＴＶ受像機の）通信部（命令受信手段、ＴＶ番組情報送信手段）
【図１】
2011029724.tif 000003
【図２】
2011029724.tif 000004
【図３】
2011029724.tif 000005
【図４】
2011029724.tif 000006
【図５】
2011029724.tif 000007